【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
患者を位置決めする平面シートであって、第１側方エッジと第２側方エッジと上表面とを備え、前記第１側方エッジおよび前記第２側方エッジが前記患者の両脚の近傍に位置し、前記上表面によって前記患者を支持するように構成される平面シートと、
前記平面シートに接続されて、前記患者が前記平面シートによって支持される時に、前記平面シートを持ち上げ又は移動させるハンドルと、
近傍に位置する前記患者の脚をラッピングして各脚のラッピング係合を形成するように構成される、前記第１側方エッジに接続された第１フレキシブル基材および前記第２側方エッジに接続された第２フレキシブル基材と、
近傍に位置する前記患者の腕をラッピングして各腕のラッピング係合を形成するように構成される、前記平面シートにそれぞれ取り付けられた第１パッド付き基材および第２パッド付き基材と、
前記平面シートを横切って長手方向に配向されるオーバーラップ基材であって、前記平面シートおよび下方の支持表面より上方の持ち上げ位置に前記両腕を保持するために前記腕のラッピング係合の両方に対してラッピングして係合するように構成され、前記持ち上げ位置によって前記腕が前記平面シートおよび前記下方の支持表面から受けるダメージを防止する、オーバーラップ基材とを備え、
前記脚のラッピング係合および前記腕のラッピング係合は、前記患者を保護するとともに、手術前、手術中、手術後、又は搬送中に、熱損失を防止する、患者位置決め装置。
【請求項２】
前記第１フレキシブル基材および前記第２フレキシブル基材のそれぞれに設けられた第１ファスナ及び第２ファスナと、
前記平面シートの表面に設けられると共に、前記第１フレキシブル基材および前記第２フレキシブル基材が各脚と前記脚のラッピング係合状態にある時にアクセス可能な第３ファスナ及び第４ファスナとを更に備え、
前記第１ファスナは前記第３ファスナに接続され、前記第２ファスナは前記第４ファスナに接続されることで、前記患者の前記脚のラッピング係合を固定する、請求項１に記載の患者位置決め装置。
【請求項３】
前記第１フレキシブル基材と前記第２フレキシブル基材とにおける、前記平面シートに設けられた開口部を更に備え、
強制温風が前記開口部を貫通して前記患者を温めることができる、請求項１に記載の患者位置決め装置。
【請求項４】
前記第１フレキシブル基材と前記第２フレキシブル基材とは、孔あきで使い捨ての材料を含む、請求項１に記載の患者位置決め装置。
【請求項５】
前記平面シートの底表面は、当該平面シートの移動を補助するべく低摩擦係数を有する材料を含む、請求項１に記載の患者位置決め装置。
【請求項６】
前記低摩擦係数を有する材料は、ＰＴＦＥ含浸の生地又はＰＴＦＥ被覆の生地、スパンボンドの生地、形成された時に易滑性表面を有するフレキシブル生地、リップストップ（rip-stop）の生地、ナイロンから織成されるマイクロファイバベースの材料及びポリエステルから織成されるマイクロファイバベースの材料からなるグループから選択される一種類又は複数種類を含む、請求項５に記載の患者位置決め装置。
【請求項７】
患者位置決め方法であって、
位置決め装置を下方の支持表面上に提供する工程であって、前記位置決め装置が、第１側方エッジおよび第２側方エッジと上表面とを備える平面シートと、前記第１側方エッジに接続された第１フレキシブル基材と、前記第２側方エッジに接続された第２フレキシブル基材と、前記平面シートにそれぞれ取り付けられた第１パッド付き基材および第２パッド付き基材とを有する工程と、
前記第１側方エッジおよび前記第２側方エッジが前記患者の両脚の近傍に位置する状態で、前記平面シートの前記上表面上に前記患者を置く工程と、
前記第１フレキシブル基材および前記第２フレキシブル基材のそれぞれを、近傍に位置する前記患者の前記脚をラッピングして、各脚のラッピング係合を形成する工程と、
前記第１パッド付き基材および前記第２パッド付き基材のそれぞれを、近傍に位置する前記患者の腕にラッピングして各腕のラッピング係合を形成する工程とを有し、
前記脚のラッピング係合および前記腕のラッピング係合は、前記患者を保護するとともに、手術前、手術中、手術後、又は搬送中に、熱損失を防止する、患者位置決め方法。
【請求項８】
前記平面シートおよび下方の支持表面より上方の持ち上げ位置に前記両腕を保持するように、前記平面シートを横切って長手方向に配向されるオーバーラップ基材を前記腕のラッピング係合上にラッピングする工程であって、前記持ち上げ位置によって前記腕が前記平面シートおよび前記下方の支持表面から受けるダメージを防止する工程を更に含む、請求項７に記載の患者位置決め方法。
【請求項９】
前記第１フレキシブル基材と前記第２フレキシブル基材とは、孔あきで使い捨ての材料を含む、請求項７に記載の患者位置決め方法。
【請求項１０】
前記平面シートの底表面は、当該平面シートの移動を補助するべく低摩擦係数を有する材料を含む、請求項７に記載の患者位置決め方法。
【請求項１１】
前記低摩擦係数を有する材料は、ＰＴＦＥ含浸の生地、ＰＴＦＥ被覆の生地、スパンボンドの生地、形成された時に易滑性表面を有するフレキシブル生地、リップストップ（rip-stop）の生地、ナイロンから織成されるマイクロファイバベースの材料、及びポリエステルから織成されるマイクロファイバベースの材料からなるグループから選択される一種類又は複数種類を含む、請求項１０に記載の患者位置決め方法。
【手続補正２】
【補正対象書類名】明細書
【補正対象項目名】０００９
【補正方法】変更
【補正の内容】
【０００９】
この装置は、第１側方エッジと第２側方エッジと上表面とを備える平面シートを有する。患者は、その両脚の近傍に前記第１側方エッジおよび前記第２側方エッジが位置する状態で前記上表面上に位置決めされる。第１フレキシブル基材と第２フレキシブル基材とが、前記平面シートの前記第１側方エッジおよび前記第２側方エッジにそれぞれ接続され、これら基材は、近傍に位置する患者の脚をラッピングして各脚のラッピング係合を形成することが可能である。この患者の脚のラッピング係合によって、手術前、手術中、手術後、又は患者の搬送中に熱損失が防止される。前記平面シートに接続されたハンドルを利用して、患者が当該平面シートによって支持されている時に、当該平面シートを持ち上げたり、移動させたりすることができる。
また、本発明に係る患者位置決め装置は、近傍に位置する前記患者の腕をラッピングして各腕のラッピング係合を形成するように構成される、前記平面シートにそれぞれ取り付けられた第１パッド付き基材および第２パッド付き基材と、
前記平面シートを横切って長手方向に配向されるオーバーラップ基材であって、前記平面シートおよび下方の支持表面より上方の持ち上げ位置に前記両腕を保持するために前記腕のラッピング係合の両方に対してラッピングして係合するように構成され、前記持ち上げた位置によって前記腕が前記平面シートおよび前記下方の支持表面から受けるダメージを防止する、オーバーラップ基材とを備える。
前記腕のラッピング係合は、前記患者を保護するとともに、手術前、手術中、手術後、又は搬送中に、熱損失を防止する。
【手続補正３】
【補正対象書類名】明細書
【補正対象項目名】発明の名称
【補正方法】変更
【補正の内容】
【発明の名称】患者位置決め装置及び患者位置決め方法